(57)【要約】【課題】魚類の棲息、休息および睡眠のための生態環境を改善する。【解決手段】鋼製魚礁（１００）は、多数個の第１、第２水平部材（１１１、１１３）を互いに接合して四角形状の縁部を構成する上下段部（１２０、１１０）を連結部（１３０）により上下間隔をおいて互いに連結する。更に第１、第２水平部材の内側または両側にそれぞれ延設された多数個の第１、第２水平板（１１５、１１７）と、第１水平部材の上面に高さ方向に斜めに延設された多数個の傾斜板（１１６）と、第２水平部材の上面に高さ方向に垂直に延設される多数個の垂直板（１１８）とを含んでなる。魚礁を構成する水平部材に別途の延長板を設置して魚礁の内部にプランクトンの群集する生態空間を拡大する。
2008516599.tif 000002
【特許請求の範囲】
【請求項１】
水産資源の育成のために海中に設置する機能性鋼製魚礁であって、
多数個の水平部材を互いに接合して多角形状の縁部を構成する多数個のベース部と、
前記ベース部を上下間隔をおいて互いに連結する一つ以上の連結部と、
前記ベース部の縁部の内側に向かうように前記水平部材の一側にそれぞれ延設される多数個の第１延長板と、
前記多数個のベース部のうち少なくとも最下段に位置するベース部に設置するが、前記ベース部の縁部の高さ方向を向かうように前記水平部材の他側にそれぞれ延設される多数個の第２延長板とを含むことを特徴とする魚類の生態環境を改善した機能性鋼製魚礁。
【請求項２】
前記第２延長板は前記多数個のベース部のうち最上段に位置するベース部以外の全てのベース部に設置することを特徴とする請求項１に記載の魚類の生態環境を改善した機能性鋼製魚礁。
【請求項３】
前記ベース部の中心部位から縁部を向かって放射状に配列されて両端がそれぞれ固定される多数個の梁部材と、前記ベース部の中心を上下垂直に互いに連結する連結柱とをさらに含むことを特徴とする請求項１または２に記載の魚類の生態環境を改善した機能性鋼製魚礁。
【請求項４】
前記多数個のベース部は、同じ大きさの２つの四角形状にそれぞれ構成され、前記連結部によって上下に連結することにより六面体形を成すことを特徴とする請求項１または２に記載の魚類の生態環境を改善した機能性鋼製魚礁。
【請求項５】
前記多数個のベース部は、大きさの異なる２つの四角形状にそれぞれ構成され、前記連結部によって上下に連結することにより四角錐台形を成すことを特徴とする、請求項１または２に記載の魚類の生態環境を改善した機能性鋼製魚礁。
【請求項６】
前記ベース部は、前記多数個の梁部材を水平方向に互いに連結して一つ以上の内側縁部をさらに構成する多数個の別の水平部材をさらに含み、
前記別の水平部材には、前記内側縁部の両側を向かうように前記別の水平部材の一側にそれぞれ延長する多数個の第３延長板と、前記内側縁部の高さ方向を向かうように前記別の水平部材の他側にそれぞれ延長する多数個の第４延長板とをさらに設置することを特徴とする請求項３に記載の魚類の生態環境を改善した機能性鋼製魚礁。
【請求項７】
大きさの異なる多角形状に構成された２つの前記ベース部を前記連結部によって上下に連結して下段を構成する多角錐台型構造物と、
前記多角錐台型構造物の上段を構成するベース部と同じ大きさの前記ベース部を前記連結部によって上下に連結して中段を構成する多面体型構造物と、
前記多面体型構造物の上段を構成するベース部より小さい大きさの前記ベース部を前記連結部によって上下に連結して上段を構成する別の多角錐台型構造物とを形成することを特徴とする請求項１または２に記載の魚類の生態環境を改善した機能性鋼製魚礁。
【請求項８】
前記別の多角錐台型構造物の上段を構成するベース部と同じ大きさの前記ベース部を前記連結部によって上下に連結して構成する別の多面体型構造物と、前記別の多面体型構造物の上段を構成するベース部より小さい大きさの前記ベース部を前記連結部によって上下に連結して最上段を構成する別の多角錐台型構造物とをさらに形成することを特徴とする請求項７に記載の魚類の生態環境を改善した機能性鋼製魚礁。
【請求項９】
前記別の多角錐台型構造物の上段を構成するベース部と同じ大きさの多数個の前記ベー
ス部を多数個の前記連結部によって順次上下に連結して構成する別の多面体  型構造物らと、前記別の多面体型構造物らの上段を構成するベース部より小さい大きさの前記ベース部を前記連結部によって上下に連結して最上段を構成する別の多角錐台型構造物とをさらに形成することを特徴とする請求項７に記載の魚類の生態環境を改善した機能性鋼製魚礁。
【発明の詳細な説明】
【技術分野】
【０００１】
本発明は、水産資源の造成のために海中に設置する鋼製魚礁に係り、特に、魚礁を構成する水平部材の周辺空間を拡大提供して魚類の生態環境を改善する鋼製魚礁に関する。
【背景技術】
【０００２】
一般に、人工魚礁とは、沿岸魚場の水産資源の確保を目的として海洋生物の産卵および棲息空間を造成し、稚魚の隠れ場を提供するために沿岸または近海に設置する人工的な構造物である。人工魚礁は、廃船舶を沈没させ或いは地上構造物を海に投下して棲息空間を造成した初期のものから、棲息空間をより効率よく造成するために六面体型、円筒型、凸凹型構造物に設計したものに至るまで、様々な形で変貌してきた。人工魚礁は、様々な材料、例えばコンクリート、廃タイヤ、鋼材などを用いて製作されている。
【０００３】
ところが、コンクリート魚礁の場合は、構造的安定性には優れるが、重量などの側面からすると高層魚礁の製作に不適であり、半球状、箱状などの単純な構造で製作されるしかなくて複雑な内部空間の形成に足りないうえ、白化現象により寧ろ海を汚染させる原因となっている。そして、廃タイヤを用いた魚礁の場合も、リサイクルの側面のみが考慮されたもので、その形状自体の変形が難しくて魚礁の機能を満たしていない実情である。したがって、コンクリートに比べて相対的に軽いうえ、複雑な内部空間を形成することができ、魚類の棲息に適した構造を提供する鋼製魚礁が多く製作されており、それに関する研究も盛んに行われている。
【０００４】
一方、魚類は、その魚種によって、人工魚礁と全く関係なく棲息する魚種、人工魚礁の上部で形成される湧昇流および渦流に棲息する魚種、人工魚礁の間々を通いながら棲息する魚種、および人工魚礁の内部に設けられる空間で棲息する魚種などその種類が様々である。その中でも、一部の魚種は人工魚礁の特定の空間内で産卵、棲息、休息および睡眠を行うと知られている。よって、魚礁としての機能を十分発揮するためには、異なる魚種が共存することが可能な適宜の生態空間を提供するように設計する必要がある。ところが、現在、大部分の鋼製魚礁は格子状をし、それにより設けられる生態空間のみを提供している。
【０００５】
したがって、様々な魚類の蝟集のために、図１のような機能性鋼製魚礁を開発した。図１は特許文献１韓国実用新案登録第３１７８２４号に開示されている機能性鋼製魚礁を示す概略図である。図１に示すように、従来の機能性鋼製魚礁１０は、複雑な内部空間を提供して魚類との接触頻度を高め、湧昇流および渦流などを発生させて魚類の触覚を刺激し、陰影効果などによって魚類の視覚を刺激するように構成した。すなわち、機能性鋼製魚礁１０は、海流の流れを妨害して渦流を形成するように下部の複数箇所に渦流形成用板材１１を取り付け、陰影効果を与え得るように上部に多数個の陰影形成用板材１２を取り付けて構成した。
【０００６】
これにより、前記機能性鋼製魚礁１０は、複数箇所に渦流形成用板材１１を取り付けることにより形成される湧昇流および渦流を楽しむ魚種に適した生態環境を提供し、陰影形成用板材１２を取り付けることにより、魚類の生態環境をより向上させるという特徴がある。ところが、従来の機能性鋼製魚礁１０は、湧昇流および渦流を楽しむ魚種にのみ適した生態環境を提供するので、各種魚種に適した生態環境を提供することができないという欠点がある。
【特許文献１】韓国実用新案登録第３１７８２４号
【発明の開示】
【発明が解決しようとする課題】
【０００７】
本発明は、前述した従来の技術の問題点を解決するために案出されたもので、その目的とするところは、魚礁を構成する水平部材に別途の延長板を設置してその周辺空間を拡大提供することにより、様々な魚類の生態環境を改善する機能性鋼製魚礁を提供することにある。
【課題を解決するための手段】
【０００８】
上記目的を達成するために、本発明の鋼製魚礁は、多数個の水平部材を互いに接合して多角形状の縁部を構成する多数個のベース部と、前記ベース部を上下間隔を置いて互いに連結する一つ以上の連結部と、前記ベース部の縁部の内側に向かうように前記水平部材の一側にそれぞれ延設される多数個の第１延長板と、前記多数個のベース部のうち少なくとも最下段に位置するベース部に設置するが、前記ベース部の縁部の高さ方向に向かうように前記水平部材の他側にそれぞれ延設される多数個の第２延長板とを含むことを特徴とする。
【発明の効果】
【０００９】
本発明は、魚礁を構成する水平部材に別途の延長板を設置して魚礁の内部にプランクトンの群集する生態空間を拡大提供することにより、魚類の棲息、休息および睡眠のための生態環境を改善するという効果がある。
【００１０】
また、本発明は、水平部材に別途の延長板を設置することにより、湧昇流および渦流が形成され、湧昇流および渦流を好む魚種の生態環境に適し、地盤との接触面積が大きくなって軟弱地盤に効果的であるうえ、陰影効果を与えてより向上した魚類の生態環境を提供するという効果がある。
【発明を実施するための最良の形態】
【００１１】
本発明は、１９８４年１０月に日本において発行された「水産学シリーズ５１人工魚礁」の収録内容に着眼して開発したものである。すなわち、海中に設置される人工魚礁の場合、海流または潮流の流れに対向する人工魚礁の周辺にプランクトンが群集する傾向がある。この際、プランクトンは、人工魚礁が海流の流れを妨害することにより、海流方向の反対側の人工魚礁の周辺に群集する。そこで、本発明者は、鋼製魚礁の周辺だけでなく、その内部にもプランクトンが群集するようにして、魚類の棲息、休息および睡眠のための空間を最大限拡大して提供することが可能な鋼製魚礁を開発することになった。
【００１２】
以下、本発明の概念を適用した機能性鋼製魚礁の形態について図２および図３を参照して説明する。
図２および図３は本発明の概念を適用した機能性鋼製魚礁の形態をそれぞれ示す概念図であって、図２は四角錐台型機能性鋼製魚礁を、図３は六面体型機能性鋼製魚礁を概念的にそれぞれ示す。
【００１３】
図２に示すように、本発明は、鋼製魚礁２０を構成する第１水平部材２１の内側に第１水平板２２を延設し、第１水平部材２１の上面に対して傾斜角を持つように高さ方向に傾斜板２３を延設したものである。また、本発明は、第１水平部材２１を互いに連結して補強する第２水平部材２４の両側に第２水平板２５を延設し、第２水平部材２４の上面に垂直な高さ方向に垂直板２６を延設したものである。したがって、本発明の鋼製魚礁２０は、第１、第２水平部材２１、２４の自体形状（例えばＨ型鋼）によって形成される魚類の生態空間に比べて、第１、第２水平板２２、２５の幅と傾斜板２３および垂直板２６の高さだけに相当するさらに広い生態空間を提供する。
【００１４】
また、図３に示すように、本発明は、鋼製魚礁３０を構成する第１水平部材３１の内側に第１水平板３２を延設し、第１水平部材３１の上面に垂直な高さ方向に第１垂直板３３を延設したものである。また、本発明は、第１水平部材３１を互いに連結して第２水平部材３４の両側に第２水平板３５を延設し、第２水平部材３４の上面に垂直な高さ方向に第２垂直板３６を延設したものである。したがって、本発明の鋼製魚礁３０は、第１、第２水平部材３１、３４の自体形状（例えば、Ｈ型鋼）により形成される魚類の棲息空間に比べて、第１、第２水平板３２、３５の幅と第１、第２垂直板３３、３６の高さだけに相当するさらに広い生態空間を提供する。
【００１５】
図２および図３では四角錐台型、六面体型を一例として本発明の概念を説明したが、本発明は、これに限定されるものではなく、多角錐、多角錐台、多面体およびこれらの組み合わせなどの様々な形を適用することができる。
【００１６】
以下、前述したような概念を適用した本発明に係る魚類の生態環境を改善した機能性鋼製魚礁の良好な実施例を添付図面を参照して詳細に説明する。
図４は本発明の第１実施例に係る魚類の生態環境を改善した四角錐台型機能性鋼製魚礁の形態を示す斜視図である。図４に示すように、本発明の四角錐台型機能性鋼製魚礁１００は、一定の大きさの四角形状を有する下段部１１０と、下段部１１０に比べて相対的に小さい四角形状を有する上段部１２０と、下段部１１０と上段部１２０を一定の上下間隔をおいて互いに連結する連結部１３０と、下段部１１０と上段部１２０の中心を互いに連結する連結柱１４０とから構成される。この際、下段部１１０と上段部１２０はベース部の役割を果たす。
【００１７】
下段部１１０は、一定の長さを持つ多数個の第１水平部材１１１を四角形状に溶接して四角縁部を構成し、四角縁部によって形成される空間の中心から縁部を向かって放射状に配列され且つ両端がそれぞれ固定される多数個の梁部材１１２を含む。この際、四角縁部の中心、すなわち梁部材１１２の一端が集まる部位には、連結柱１４０が挿入できる大きさの孔を持つ連結部材１１４が形成される。したがって、多数個の梁部材１１２は、一端が連結部材１１４の外周に沿ってそれぞれ固定され、他端は四角縁部を構成する第１水平部材１１１に放射状に固定される。この際、梁部材１１２の他端は四角縁部のコーナーと第１水平部材１１１の長手方向の中央にそれぞれ固定される。よって、下段部１１０には、第１水平部材１１１同士が接合される四角縁部の４箇所のコーナーおよび４つの第１水平部材１１１の中央と連結部材１１４とを互いに連結する８つの梁部材１１２が使用される。ところが、下段部１１０における梁部材１１２の数は、あまり大きい意味がなく、必要に応じて異にすることができる。
【００１８】
また、下段部１１０には、８つの梁部材１１２を水平方向に互いに連結して内側四角縁部を構成する多数個の第２水平部材１１３をさらに含む。よって、下段部１１０は、中心となる連結部材１１４を基準として互いに異なる大きさの２つの四角縁部が形成され、これらの四角縁部のコーナーおよび各水平部材１１１、１１３の中央と連結部材１１４とを梁部材１１２によって放射状に連結する安定な構造を持つ。この際、８つの梁部材１１２を水平方向に互いに連結する別の水平部材によって内側四角縁部をさらに構成することもできる。
【００１９】
前記下段部１１０を構成する水平部材１１１、１１３および梁部材１１２の材料としては、構造的に安定しており、結合が容易であるうえ、強度に優れたＨ型鋼を用いることが好ましい。
【００２０】
上段部１２０は、その大きさが小さくなることにより内側四角縁部を構成しない以外は前記下段部１１０と同様に構成される。すなわち、上段部１２０は、四角縁部をそれぞれ
構成する多数個の水平部材１２１、並びに水平部材１２１同士が接合される四角縁部のコーナーおよび水平部材１２１の中央と、連結柱１４０が挿入できる孔を持つ連結部材１２３とを放射状に連結する多数個の梁部材１２２から構成される。これにより、上段部１２０は構造的安定性を持つ。この際、上段部１２０の四角縁部と下段部１１０の内側四角縁部が同一の大きさを持つように構成することが好ましい。
【００２１】
上段部１２０を構成する水平部材１２１および梁部材１２２の材料としては、構造的に安定しており、結合が容易であるうえ、強度に優れたＨ型鋼を用いることが好ましい。また、上段部１２０は、多数個の梁部材１２２を水平方向に互いに連結して内側四角縁部を構成する多数個の別の水平部材をさらに含んで構成してもよい。
【００２２】
連結部１３０は、下段部１１０と上段部１２０とを一定の上下間隔をおいて互いに連結するものであって、下段部１１０と上段部１２０とを垂直に連結する垂直部材１３１と、下段部１１０と上段部１２０を斜めに連結する傾斜部材１３２と、垂直部材１３１の間で、隣接する垂直部材１３１と上下段部１２０、１１０を互いに連結する格子部材１３３とから構成される。
【００２３】
この際、垂直部材１３１は、上段部１２０の四角縁部のコーナーおよび水平部材１２１の中央と、下段部１１０の内側四角縁部のコーナーおよび第２水平部材１１３の中央とを互いに垂直に連結する。よって、連結部１３０には８つの垂直部材１３１が使用される。傾斜部材１３２は、上段部１２０の四角縁部のコーナーおよび水平部材１２１の中央と、下段部１１０の外側四角縁部のコーナー、第１水平部材１１１の中央および両側とを互いに斜めに連結する。よって、連結部１３０には１６つの傾斜部材１３２が使用される。ところが、連結部１３０における垂直部材１３１および傾斜部材１３２の数は、あまり大きい意味がなく、必要に応じて異にすることができる。
【００２４】
前記垂直部材１３１は荷重（流体力）が小さく作用し且つ潮流の流れを殆ど妨害しない円形パイプを用い、傾斜部材１３２は構造的安定性のためにＨ型鋼を用い、格子部材１３３は相互間の円滑な結合が可能であるように四角パイプを用いることが好ましい。
【００２５】
連結柱１４０は、下段部１１０の中心と上段部１２０の中心を互いに連結するものであって、下段部１１０の中心と上段部１２０の中心に形成される連結部材１２３の孔に上下垂直に挿入されて溶接接合される。よって、連結柱１４０は、本発明の四角錐台型鋼製魚礁１００の中心軸の役割を果たす。この際、連結柱１４０は荷重（流体力）が小さく作用し且つ潮流の流れを殆ど妨害しない円形パイプまたは中実型円柱から構成することが好ましい。
【００２６】
本発明の鋼製魚礁１００は、連結柱１４０を中心軸として各構成要素が相互対称構造を持つ。また、本発明の鋼製魚礁１００は、連結柱１４０を中心軸とするが、連結柱１４０を基準として下段部１１０の梁部材１１２および上段部１２０の梁部材１２２が放射状に配列構成される。これにより、本発明の鋼製魚礁１００は構造的安定性を持つ。
【００２７】
そして、本発明の鋼製魚礁１００は、上下段部１２０、１１０の縁部の内側を向かうように水平部材１２１および第１水平部材１１１の内側に第１水平板１１５（第１延長板）をそれぞれ延設し、下段部１１０の縁部の高さ方向を向かうように第１水平部材１１１の上面に傾斜角をもって傾斜板１１６（第２延長板）をそれぞれ延設する。この際、第１水平板１１５は水平部材１２１および第１水平部材１１１の下端内側に水平方向に接合され、傾斜板１１６はその下端が第１水平部材１１１の上面に接合され且つ両端部が傾斜部材１３２にそれぞれ接合される。
【００２８】
また、本発明の鋼製魚礁１００は、下段部１１０の第２水平部材１１３の両側に第２水平板１１７（第３延長板）を延設し、第２水平部材１１３の上面に垂直な高さ方向に垂直板１１８（第４延長板）を延設する。この際、第２水平板１１７は第２水平部材１１３の下端両側に水平方向に接合され、垂直板１１８はその下端が第２水平部材１１３の上面に接合され且つ両端部が垂直部材１３１にそれぞれ接合される。
【００２９】
したがって、本発明の鋼製魚礁１００は、第１、第２水平部材１１１、１１３の自体形状（例えば、Ｈ型鋼）により形成される魚類の生態空間に比べて、第１、第２水平板１１５、１１７の幅と傾斜板１１６および垂直板１１８の高さだけに相当するさらに広い生態空間を提供する。すなわち、傾斜板１１６および垂直板１１８によって海流の流れが妨害されて生態空間内にプランクトンが群集し、第１、第２水平板１１５、１１７、傾斜板１１６および垂直板１１８によって魚類の棲息、休息および睡眠のための生態空間を最大限拡大して提供することができる。したがって、本発明の鋼製魚礁１００は、生態空間が拡大されることにより、様々な大きさの魚種がより改善された環境で棲息、休息および睡眠をすることができる。
【００３０】
そして、本発明の鋼製魚礁１００は、傾斜板１１６および垂直板１１８によって海流の流れが妨害されて湧昇流および渦流が形成されるため、湧昇流および渦流を好む魚種の棲息にも適する。また、本発明の鋼製魚礁１００は、第１、第２水平板１１５、１１７によって地盤との接触面積が大きくなることにより軟弱地盤にも効果的であるという特徴がある。また、本発明の鋼製魚礁１００は、第１、第２水平板１１５、１１７、傾斜板１１６および垂直板１１８を介して陰影効果を与えるため、より向上した魚類の生態環境を提供する。
【００３１】
図５は本発明の第２実施例に係る魚類の生態環境を改善した六面体型機能性鋼製魚礁の形態を示す斜視図である。図５に示すように、本発明の六面体型機能性鋼製魚礁２００は、下段部２１０と上段部２２０が同一の形態で構成され、それにより連結部２３０が異なるように構成されるし、傾斜板１１６の代わりに垂直板２１５が使用される以外は第１実施例の四角錐台型機能性鋼製魚礁１００と同様である。したがって、同一の構成要素に対する説明はここで省略する。
【００３２】
本発明の鋼製魚礁２００は、下段部２１０と上段部２２０が同一の形態で構成される。したがって、連結部２３０は下段部２１０と上段部２２０の外側および内側四角縁部を垂直にそれぞれ連結する第１、第２垂直部材２３１、２３２と、第１、第２垂直部材２３１、２３２の間で、隣接する第１、第２垂直部材２３１、２３２と上下段部２２０、２１０を互いにそれぞれ連結する第１、第２格子部材２３３、２３４とから構成される。すなわち、第１垂直部材２３１は上下段部２２０、２１０の外側四角縁部のコーナーおよび第１水平部材２２１、２１１の中央を垂直に相互連結し、第２垂直部材２３２は上下段部２２０、２１０の内側四角縁部のコーナーおよび第２水平部材２２３、２１３の中央を垂直に相互連結する。
【００３３】
したがって、本発明の六面体型鋼製魚礁２００は、連結柱２４０を中心軸として各構成要素が相互対称構造を持つ。また、本発明の鋼製魚礁２００は、連結柱２４０を中心軸とするが、連結柱２４０を基準として下段部２１０の梁部材２１２および上段部２２０の梁部材２２２が放射状に配列構成される。これにより、本発明の鋼製魚礁２００は構造的安定性を持つ。
【００３４】
そして、本発明の鋼製魚礁２００は、上下段部２２０、２１０の第１水平部材２２１、２１１の内側に第１水平板２１４をそれぞれ延設し、下段部２１０の第１水平部材２１１の上面に垂直な高さ方向に第１垂直板２１５をそれぞれ延設する。この際、第１水平板２
１４は第１水平部材２２１、２１１の下端内側に水平方向に接合され、第１垂直板２１５はその下端が第１水平部材２１１の上面に接合され且つ両端部が第１垂直部材２３１にそれぞれ接合される。
【００３５】
また、本発明の鋼製魚礁２００は、上下段部２２０、２１０の第２水平部材２２３、２１３の両側に第２水平板２１６を延設し、下段部２１０の第２水平部材２１３の上面に垂直な高さ方向に第２垂直板２１７を延設する。この際、第２垂直板２１６は第２水平部材２２３、２１３の下端両側に水平方向に接合され、第２垂直板２１７はその下端が第２水平部材２１３の上面に接合され且つ両端部が第２垂直部材２３２にそれぞれ接合される。
【００３６】
したがって、本発明の鋼製魚礁２００は、第１、第２水平部材２１１、２１３の自体形状（たとえば、Ｈ型鋼）により形成される魚類の生態空間に比べて、第１、第２水平板２１４、２１６の幅と第１、第２垂直板２１５、２１７の高さだけに相当するさらに広い生態空間を提供する。すなわち、第１、第２垂直板２１５、２１７によって海流の流れが妨害されて生態空間内にプランクトンが群集し、第１、第２水平板２１４、２１６および第１、第２垂直板２１５、２１７によって魚類の棲息、休息および睡眠のための生態空間を最大限拡大提供することができる。よって、本発明の鋼製魚礁２００は、生態空間が拡大されることにより様々な大きさの魚種がより改善された環境で棲息、休息および睡眠をすることができる。
【００３７】
そして、本発明の鋼製魚礁２００は、第１、第２垂直板２１５、２１７によって海流の流れが妨害されて湧昇流および渦流が形成されるため、湧昇流および渦流を良くする魚種の棲息にも適する。また、本発明の鋼製魚礁２００は、第１、第２水平板２１４、２１６によって地盤との接触面積が大きくなることにより軟弱地盤にも効果的であるという特徴がある。また、本発明の強制魚礁２００は、第１、第２水平板２１４、２１６および第１、第２垂直板２１５、２１７を介して陰影効果を与えるため、より向上した魚類の生態環境を提供する。
【００３８】
図６は本発明の第３実施例に係る魚類の生態環境を改善した組み合わせ型機能性鋼製魚礁の形態を示す斜視図である。図６に示すように、本発明の組み合わせ型機能性鋼製魚礁３００は、大きさの異なる四角錐台型機能性鋼製魚礁１００、１００Ａの間に六面体型機能性鋼製魚礁２００が配列される１段サンドイッチの形で構成される。この際、四角錐台型機能性鋼製魚礁１００は第１実施例の魚礁と同様に構成され、他の四角錐台型機能性鋼製魚礁１００Ａは第１実施例の鋼製魚礁１００と同一の概念で構成するが、その大きさが大きくなることにより一部の構成要素が追加される形で構成される。そして、六面体型機能性鋼製魚礁２００は第２実施例の魚礁と同様に構成される。
【００３９】
本発明の組み合わせ型機能性鋼製魚礁３００は、四角錐台型機能性鋼製魚礁１００、１００Ａの間に六面体型機能性鋼製魚礁２００が配列されるサンドイッチの形で構成することにより、上下段にそれぞれ形成される四角縁部が上下に互いに接する構造を持つ。ところが、本発明の鋼製魚礁３００は、上下に接する四角縁部のいずれか一方を除去して１つの四角縁部によって上下段が接するように構成するが、その接する部位にも水平板と傾斜板または垂直板がそれぞれ設置され、より広い生態空間を提供するように構成することもできる。したがって、本発明の鋼製魚礁３００は、全ての上段部および下段部の水平部材に水平板が延設され、かつ最上段に位置する上段部の水平部材を除いた他の上段部および下段部の水平部材に傾斜板または垂直板が延設される。これにより、本発明の鋼製魚礁３００は、その内部にプランクトンが群集する広い生態空間を拡大提供して魚類の棲息、休息および睡眠のための生態環境を改善するという特徴がある。
【００４０】
図７は本発明の第４実施例に係る魚類の生態環境を改善した高層機能性鋼製魚礁の形態
を示す斜視図である。図７に示すように、本発明の高層機能性鋼製魚礁４００は、図６のように構成される組み合わせ型機能性鋼製魚礁３００の上端にさらに六面体型機能性鋼製魚礁２００Ａと四角錐台型機能性鋼製魚礁１００Ｂを順次積層して構成したものである。したがって、本発明の鋼製魚礁４００は、最下段と最上段に四角錐台型機能性鋼製魚礁がそれぞれ位置し、それらの間に六面体型機能性鋼製魚礁および他の四角錐台型機能性鋼製魚礁が順次位置する２段サンドイッチの形を持つ。
【００４１】
この際、六面体型機能性鋼製魚礁２００Ａは、第２実施例の鋼製魚礁２００と同一の概念で構成するが、その大きさが小さくなることにより一部の構成要素が除去される形で構成される。また、四角錐台型機能性鋼製魚礁１００Ｂは、第1実施例の鋼製魚礁１００と
同一の概念で構成するが、その大きさが小さくなることにより一部の構成要素が除去される形で構成される。
【００４２】
本発明の鋼製魚礁４００は、第３実施例の組み合わせ型機能性鋼製魚礁３００と同様に、上下端にそれぞれ形成される四角縁部が上下に互いに接する構造を持つ。ところが、本発明の鋼製魚礁４００は、上下に接する四角縁部のいずれか一方を除去して一つの四角縁部によって上下端が接するように構成するが、その接する部位にも水平板と傾斜板または垂直板がそれぞれ設置されてより広い生態空間を提供するように構成することもできる。したがって、本発明の鋼製魚礁４００は、全ての上段部および下段部の水平部材に水平板が延設され、且つ最上端に位置する上段部の水平部材を除いた他の上段部および下段部の水平部材に傾斜板または垂直板が延設される。それにより、本発明の鋼製魚礁４００は、その内部にプランクトンが群集する広い生態空間を拡大提供して魚類の棲息、休息および睡眠のための生態環境を改善するという特徴がある。
【００４３】
図８は本発明の第５実施例に係る魚類の生態環境を改善した高層機能性鋼製魚礁の形態を示す斜視図である。図８に示すように、本発明の高層鋼製魚礁５００は、図７のように高層機能性鋼製魚礁４００の上段部位に位置する六面体型機能性鋼製魚礁２００Ａを多数順次積層し、最上段に四角錐台型機能性鋼製魚礁１００Ｂを積層して構成したものである。したがって、本発明の鋼製魚礁５００は、最下段および最上段に四角錐台型機能性鋼製魚礁がそれぞれ位置し、それらの間に多数個の六面体型機能性鋼製魚礁および一つの別の四角錐台型機能性鋼製魚礁が位置することにより、中間部位の長い２段サンドイッチの形を持つ。
【００４４】
本発明の鋼製魚礁５００は、第４実施例の鋼製魚礁４００と同様に、上下段にそれぞれ形成される四角縁部が上下に互いに接する構造を持つ。ところが、本発明の鋼製魚礁５００は、上下に接する四角縁部のいずれか一方を除去して一つの四角縁部によって上下端が接するように構成するが、その接する部位にも水平板と傾斜板または垂直板がそれぞれ設置され、より広い生態空間を提供するように構成することもできる。したがって、本発明の鋼製魚礁５００は、全ての上段部および下段部の水平部材に水平板が延設され、且つ最上端に位置する上段部の水平部材を除いた他の上段部および下段部の水平部材に傾斜板または垂直板が延設される。それにより、本発明の鋼製魚礁５００は、その内部にプランクトンが群集する広い生態空間を拡大提供して魚類の棲息、休息および睡眠のための生態環境を改善するという特徴がある。
【００４５】
前述したように、本発明は、図４に示した四角錐台型機能性鋼製魚礁１００と、図５に示した六面体型機能性鋼製魚礁２００を基本的構成として、所望する高さの鋼製魚礁を様々に製作することができる。
【００４６】
以上、本発明の魚類の生態環境を改善した機能性鋼製魚礁についての技術事項を添付図面と共に述べたが、これは本発明の好適な実施例を例示的に説明したもので、本発明を限
定するものではない。
【００４７】
また、当該技術分野における通常の知識を有する者であれば、誰でも本発明の技術思想の範疇を逸脱することなく、特許請求の範囲内で様々な変形および模倣を加え得るのは明らかなことである。
【図面の簡単な説明】
【００４８】
【図１】従来の技術に係る機能性鋼製魚礁の形態を示す概略図。
【図２】本発明の概念を適用した機能性鋼製魚礁の形態をそれぞれ示す概念図。
【図３】本発明の概念を適用した機能性鋼製魚礁の形態をそれぞれ示す概念図。
【図４】本発明の第１実施例に係る魚類の生態環境を改善した四角錐台型機能性鋼製魚礁の形態を示す斜視図。
【図５】本発明の第２実施例に係る魚類の生態環境を改善した六面体型機能性鋼製魚礁の形態を示す斜視図。
【図６】本発明の第３実施例に係る魚類の生態環境を改善した組み合わせ型機能性鋼製魚礁の形態を示す斜視図。
【図７】本発明の第４実施例に係る魚類の生態環境を改善した高層機能性鋼製魚礁の形態を示す斜視図。
【図８】本発明の第５実施例に係る魚類の生態環境を改善した高層機能性鋼製魚礁の形態を示す斜視図。
【図１】
2008516599.tif 000003
【図２】
2008516599.tif 000004
【図３】
2008516599.tif 000005
【図４】
2008516599.tif 000006
【図５】
2008516599.tif 000007
【図６】
2008516599.tif 000008
【図７】
2008516599.tif 000009
【図８】
2008516599.tif 000010
【国際調査報告】
2008516599.tif 000011
2008516599.tif 000012